(57)【要約】【課題】屋根の上面の傾斜の有無にかかわらず設置することができる。【解決手段】ソーラーパネルＳの端縁フレームＳ0 に沿って所定の間隔をもって複数設置される防鳥ネット保持具２と、防鳥ネット１を防鳥ネット保持具２に固着する結束バンド３とを、有する。防鳥ネット保持具２が、水平壁部４と垂直壁部５を備えたＬ字型のソーラーパネル受け部13と、垂直壁部５の外面５ａに形成された、結束バンド挿通用の孔部６を有する突出部７を、有する保持具本体14を備える。防鳥ネット１を垂直壁部５の外面５ａ側に配設して、結束バンド３を、孔部６に挿通して、防鳥ネット１を防鳥ネット保持具２に固着するように構成する。垂直壁部５の内面５ｂ及び水平壁部４の内面４ｂに、接着手段Ｚを備える。【選択図】図２
2019216637.tif 000002
【特許請求の範囲】
【請求項１】
屋根（Ｙ）の上面（Ｙ1 ）と、該屋根（Ｙ）の上面（Ｙ1 ）に設置されたソーラーパネル（Ｓ）の下面（Ｓ1 ）との間の空間（Ｃ）へ、鳥類が侵入するのを防止するために、上記ソーラーパネル（Ｓ）の端縁フレーム（Ｓ0 ）と、上記屋根（Ｙ）の上面（Ｙ1 ）との間隙部（Ｅ）を遮断する防鳥ネット（１）を備えた防鳥装置に於て、
上記ソーラーパネル（Ｓ）の端縁フレーム（Ｓ0 ）に沿って所定の間隔（Ｌ）をもって複数設置される防鳥ネット保持具（２）と、上記防鳥ネット（１）を上記防鳥ネット保持具（２）に固着する結束バンド（３）とを、有し、
上記防鳥ネット保持具（２）が、水平壁部（４）と垂直壁部（５）を備えたＬ字型のソーラーパネル受け部（13）と、上記垂直壁部（５）の外面（５ａ）に形成された、結束バンド挿通用の孔部（６）を有する突出部（７）を、有する保持具本体（14）を備え、
防鳥ネット（１）を上記垂直壁部（５）の外面（５ａ）側に配設して、上記結束バンド（３）を、上記孔部（６）に挿通して、上記防鳥ネット（１）を上記防鳥ネット保持具（２）に固着するように構成し、
上記垂直壁部（５）の内面（５ｂ）及び水平壁部（４）の内面（４ｂ）に、接着手段（Ｚ）を備えたことを特徴とする防鳥装置。
【請求項２】
屋根（Ｙ）の上面（Ｙ1 ）と、該屋根（Ｙ）の上面（Ｙ1 ）に設置されたソーラーパネル（Ｓ）の下面（Ｓ1 ）との間の空間（Ｃ）へ、鳥類が侵入するのを防止するために、上記ソーラーパネル（Ｓ）の端縁フレーム（Ｓ0 ）と、上記屋根（Ｙ）の上面（Ｙ1 ）との間隙部（Ｅ）を遮断する防鳥ネット（１）を備えた防鳥装置に於て、
上記ソーラーパネル（Ｓ）の端縁フレーム（Ｓ0 ）に沿って所定の間隔（Ｌ）をもって複数設置される防鳥ネット保持具（２）と、上記防鳥ネット（１）を上記防鳥ネット保持具（２）に固着する結束バンド（３）とを、有し、
上記防鳥ネット保持具（２）は、水平壁部（４）と垂直壁部（５）を備えたＬ字型であって、
垂直壁部（５）の内面（５ｂ）に上下方向の凹溝（８）を形成し、上記凹溝（８）と上記垂直壁部（５）の外面（５ａ）側とを連通状とする第１小孔（11）を、上記凹溝（８）の溝底壁部（10）の上下中間位置に貫設するとともに、上記水平壁部（４）と垂直壁部（５）との角部近傍（Ｇ）の外面（Ｇ0 ）と、上記凹溝（８）とを連通状にする第２小孔（12）を、上記角部近傍（Ｇ）に貫設し、
防鳥ネット（１）を上記垂直壁部（５）の外面（５ａ）に当接して、上記結束バンド（３）を、上記凹溝（８）に配設するとともに、上記第１小孔（11）及び第２小孔（12）に挿通して、上記防鳥ネット（１）を上記防鳥ネット保持具（２）に固着するように構成し、
上記垂直壁部（５）の内面（５ｂ）及び水平壁部（４）の内面（４ｂ）に、接着手段（Ｚ）を備えたことを特徴とする防鳥装置。
【発明の詳細な説明】
【技術分野】
【０００１】
本発明は、防鳥装置に関する。
【背景技術】
【０００２】
一般に、屋根の上面にソーラーパネル（太陽光パネル、太陽電池パネル）を設置する場合、屋根の上面とソーラーパネルの下面との間に空間が存在する（例えば、特許文献１参照）。しかし、上記空間に鳥が巣を作り、鳥がソーラーパネルの上面に糞をすることにより、発電効率が低下するという問題があった。そこで、ソーラーパネルの端縁フレームと、屋根の上面との間隙部（すなわち上記空間への入口部）を防鳥ネットにて遮蔽する。本出願人は、以前、防鳥ネットを挟持する防鳥ネット保持具を有する防鳥装置を提案した（特願２０１７−１８３３１３参照）。
【先行技術文献】
【特許文献】
【０００３】
【特許文献１】特開２０１５−１５８１０５号公報
【発明の概要】
【発明が解決しようとする課題】
【０００４】
しかし、上記防鳥装置は、端縁フレームＳ0 と屋根Ｙの上面Ｙ1 との間に上下突っ張り力を発生させるものであり、載置板30が水平状なので、図10に示すように、屋根Ｙの上面Ｙ1 が傾斜状の場合、あるいは、上面Ｙ1 が凹凸波形であってその傾斜箇所には、設置することができないという欠点がある。そこで、本発明は、屋根の上面の傾斜の有無にかかわらず設置することができる防鳥装置を提供することを目的とする。
【課題を解決するための手段】
【０００５】
そこで、本発明に係る防鳥装置は、屋根の上面と、該屋根の上面に設置されたソーラーパネルの下面との間の空間へ、鳥類が侵入するのを防止するために、上記ソーラーパネルの端縁フレームと、上記屋根の上面との間隙部を遮断する防鳥ネットを備えた防鳥装置に於て、上記ソーラーパネルの端縁フレームに沿って所定の間隔をもって複数設置される防鳥ネット保持具と、上記防鳥ネットを上記防鳥ネット保持具に固着する結束バンドとを、有し、上記防鳥ネット保持具が、水平壁部と垂直壁部を備えたＬ字型のソーラーパネル受け部と、上記垂直壁部の外面に形成された、結束バンド挿通用の孔部を有する突出部を、有する保持具本体を備え、防鳥ネットを上記垂直壁部の外面側に配設して、上記結束バンドを、上記孔部に挿通して、上記防鳥ネットを上記防鳥ネット保持具に固着するように構成し、上記垂直壁部の内面及び水平壁部の内面に、接着手段を備えたものである。
【０００６】
また、屋根の上面と、該屋根の上面に設置されたソーラーパネルの下面との間の空間へ、鳥類が侵入するのを防止するために、上記ソーラーパネルの端縁フレームと、上記屋根の上面との間隙部を遮断する防鳥ネットを備えた防鳥装置に於て、上記ソーラーパネルの端縁フレームに沿って所定の間隔をもって複数設置される防鳥ネット保持具と、上記防鳥ネットを上記防鳥ネット保持具に固着する結束バンドとを、有し、上記防鳥ネット保持具は、水平壁部と垂直壁部を備えたＬ字型であって、垂直壁部の内面に上下方向の凹溝を形成し、上記凹溝と上記垂直壁部の外面側とを連通状とする第１小孔を、上記凹溝の溝底壁部の上下中間位置に貫設するとともに、上記水平壁部と垂直壁部との角部近傍の外面と、上記凹溝とを連通状にする第２小孔を、上記角部近傍に貫設し、防鳥ネットを上記垂直壁部の外面に当接して、上記結束バンドを、上記凹溝に配設するとともに、上記第１小孔及び第２小孔に挿通して、上記防鳥ネットを上記防鳥ネット保持具に固着するように構成し、上記垂直壁部の内面及び水平壁部の内面に、接着手段を備えたものである。
【発明の効果】
【０００７】
本発明の防鳥装置によれば、屋根の上面の傾斜の有無にかかわらず設置することができる。また、ソーラーパネルの端縁フレームの上下厚さ寸法にかかわらず、設置できる。
【図面の簡単な説明】
【０００８】
【図１】本発明の第１の実施の形態の使用状態を示す斜視図である。
【図２】使用状態を示す図であって、（Ａ）は断面側面図、（Ｂ）は断面正面図である。
【図３】第１の実施の形態を示す斜視図である。
【図４】使用状態の一例を示す簡略図である。
【図５】使用状態の他例を示す簡略図である。
【図６】使用状態のさらに他例を示す簡略図である。
【図７】第２の実施の形態の使用状態を示す断面正面図である。
【図８】第２の実施の形態を示す斜視図である。
【図９】図８の断面図であって、（Ａ）はＡ−Ｏ1 −Ａ断面端面図、（Ｂ）はＢ−Ｏ2 −Ｂ断面端面図である。
【図１０】従来例を示す断面正面図である。
【発明を実施するための形態】
【０００９】
以下、図示の実施の形態に基づいて本発明を詳説する。
図１は、本発明の第１の実施の形態の使用状態を示す。この防鳥装置は、屋根Ｙの上面Ｙ1 と、屋根Ｙの上面Ｙ1 に設置されたソーラーパネルＳの下面Ｓ1 （図２・図３参照）との間の空間Ｃへ、鳥類（図示省略）が侵入するのを防止するために、ソーラーパネルＳの端縁フレームＳ0 と、屋根Ｙの上面Ｙ1 との間隙部Ｅを遮断する金属製防鳥ネット１を備える。図２に示すように、屋根Ｙの上面Ｙ1 が直線状の傾斜面の場合、及び、図３に示すように、屋根Ｙの上面Ｙ1 が波型の場合（例えば瓦屋根の場合）等、屋根Ｙの上面Ｙ1 の形状にかかわらず、設置することができる。そして、瓦屋根に設置する場合、防鳥ネット１に切込みＫを入れて、防鳥ネット１の先端部１ａを瓦屋根の凹凸形状に対応させ、間隙部Ｅを適切に遮断して、鳥類が侵入するのを確実に防止する。
【００１０】
ソーラーパネルＳの端縁フレームＳ0 に沿って所定の間隔Ｌをもって複数設置される防鳥ネット保持具２と、防鳥ネット１を防鳥ネット保持具２に固着する結束バンド３とを、有する。
【００１１】
図３に示すように、防鳥ネット保持具２が、金属製であって、水平壁部４と垂直壁部５を備えたＬ字型のソーラーパネル受け部13と、垂直壁部５の外面５ａに形成された、結束バンド挿通用の孔部６を有する突出部７を、有する保持具本体14を備える。防鳥ネット１を垂直壁部５の外面５ａ側に配設して、結束バンド３を、孔部６に挿通して、防鳥ネット１を防鳥ネット保持具２に固着するように構成される。垂直壁部５の内面５ｂ及び水平壁部４の内面４ｂに、接着手段Ｚを備える。接着手段Ｚとしては、粘着による場合を含むと定義する。接着手段Ｚは、例えば、接着剤、両面テープ等から成る。
【００１２】
図１・図２・図４に示すように、水平壁部４がソーラーパネルＳの下面Ｓ1 側となるように設置する場合の他に、図５に示すように、水平壁部４がソーラーパネルＳの上面Ｓ2 側となるように設置することができる。そして、図６に示すように、水平壁部４がソーラーパネルＳの下面Ｓ1 側となるように配設するとともに、水平壁部４がソーラーパネルＳの上面Ｓ2 側となるように配設して、上下に２つの防鳥ネット保持具２を設置するも良い。図６に示すように上下に２つの防鳥ネット保持具２を設置する場合、ひとつの結束バンド３を上下の孔部６に挿通して、防鳥ネット１を保持することができる。
【００１３】
図７は、第２の実施の形態の使用状態を示す。図７〜図９に示すように、垂直壁部５の内面５ｂに上下方向の凹溝８を形成する。凹溝８と垂直壁部５の外面５ａ側とを連通状とする第１小孔11を、凹溝８の溝底壁部10の上下中間位置に貫設する。水平壁部４と垂直壁部５との角部近傍Ｇの外面Ｇ0 と、凹溝８とを連通状にする第２小孔12を、角部近傍Ｇに貫設する。防鳥ネット１を垂直壁部５の外面５ａに当接して、結束バンド３を、凹溝８に配設するとともに、第１小孔11及び第２小孔12に挿通して、防鳥ネット１を防鳥ネット保持具２に固着するように構成される。垂直壁部５の内面５ｂ及び水平壁部４の内面４ｂに、接着手段Ｚを備える。その他の構成は、第１の実施の形態と同様である。
【００１４】
なお、本発明は、設計変更可能であって、例えば、防鳥ネット１を樹脂製とするも良い。また、防鳥ネット保持具２を、エンジニアリングプラスチック等の樹脂製とするも良い。
【００１５】
以上のように、本発明は、屋根Ｙの上面Ｙ1 と、該屋根Ｙの上面Ｙ1 に設置されたソーラーパネルＳの下面Ｓ1 との間の空間Ｃへ、鳥類が侵入するのを防止するために、上記ソーラーパネルＳの端縁フレームＳ0 と、上記屋根Ｙの上面Ｙ1 との間隙部Ｅを遮断する防鳥ネット１を備えた防鳥装置に於て、上記ソーラーパネルＳの端縁フレームＳ0 に沿って所定の間隔Ｌをもって複数設置される防鳥ネット保持具２と、上記防鳥ネット１を上記防鳥ネット保持具２に固着する結束バンド３とを、有し、上記防鳥ネット保持具２が、水平壁部４と垂直壁部５を備えたＬ字型のソーラーパネル受け部13と、上記垂直壁部５の外面５ａに形成された、結束バンド挿通用の孔部６を有する突出部７を、有する保持具本体14を備え、防鳥ネット１を上記垂直壁部５の外面５ａ側に配設して、上記結束バンド３を、上記孔部６に挿通して、上記防鳥ネット１を上記防鳥ネット保持具２に固着するように構成し、上記垂直壁部５の内面５ｂ及び水平壁部４の内面４ｂに、接着手段Ｚを備えたので、屋根Ｙの上面Ｙ1 の傾斜の有無にかかわらず設置することができる。また、結束バンド３を用いるので、容易かつ迅速に設置することができる。また、ソーラーパネルＳの端縁フレームＳ0 の上下厚さ寸法にかかわらず、設置できる。また、垂直壁部５の内面５ｂ、及び、水平壁部４の内面４ｂの２面の各々に設けられた接着手段Ｚにて防鳥ネット保持具２を端縁フレームＳ0 に固着するので、確実かつ強固に固着することができ、耐用年数が長い。
【００１６】
また、屋根Ｙの上面Ｙ1 と、該屋根Ｙの上面Ｙ1 に設置されたソーラーパネルＳの下面Ｓ1 との間の空間Ｃへ、鳥類が侵入するのを防止するために、上記ソーラーパネルＳの端縁フレームＳ0 と、上記屋根Ｙの上面Ｙ1 との間隙部Ｅを遮断する防鳥ネット１を備えた防鳥装置に於て、上記ソーラーパネルＳの端縁フレームＳ0 に沿って所定の間隔Ｌをもって複数設置される防鳥ネット保持具２と、上記防鳥ネット１を上記防鳥ネット保持具２に固着する結束バンド３とを、有し、上記防鳥ネット保持具２が、水平壁部４と垂直壁部５を備えたＬ字型であって、垂直壁部５の内面５ｂに上下方向の凹溝８を形成し、上記凹溝８と上記垂直壁部５の外面５ａ側とを連通状とする第１小孔11を、上記凹溝８の溝底壁部10の上下中間位置に貫設するとともに、上記水平壁部４と垂直壁部５との角部近傍Ｇの外面Ｇ0 と、上記凹溝８とを連通状にする第２小孔12を、上記角部９近傍に貫設し、防鳥ネット１を上記垂直壁部５の外面５ａに当接して、上記結束バンド３を、上記凹溝８に配設するとともに、上記第１小孔11及び第２小孔12に挿通して、上記防鳥ネット１を上記防鳥ネット保持具２に固着するように構成し、上記垂直壁部５の内面５ｂ及び水平壁部４の内面４ｂに、接着手段Ｚを備えたので、屋根Ｙの上面Ｙ1 の傾斜の有無にかかわらず設置することができる。また、結束バンド３を用いるので、容易かつ迅速に設置することができる。また、ソーラーパネルＳの端縁フレームＳ0 の上下厚さ寸法にかかわらず、設置できる。また、垂直壁部５の内面５ｂ、及び、水平壁部４の内面４ｂの２面の各々に設けられた接着手段Ｚにて防鳥ネット保持具２を端縁フレームＳ0 に固着するので、確実かつ強固に固着することができ、耐用年数が長い。
【符号の説明】
【００１７】
１  防鳥ネット
２  防鳥ネット保持具
３  結束バンド
４  水平壁部
４ｂ  内面
５  垂直壁部
５ａ  外面
５ｂ  内面
６  孔部
７  突出部
８  凹溝
９  角部
９ａ  外面
10  溝底壁部
11  第１小孔
12  第２小孔
13  ソーラーパネル受け部
14  保持具本体
Ｃ  空間
Ｅ  間隙部
Ｇ  角部近傍
Ｇ0 外面
Ｌ  所定の間隔
Ｓ  ソーラーパネル
Ｓ1   下面
Ｓ0   端縁フレーム
Ｙ  屋根
Ｙ1   上面
Ｚ  接着手段
【図１】
2019216637.tif 000003
【図２】
2019216637.tif 000004
【図３】
2019216637.tif 000005
【図４】
2019216637.tif 000006
【図５】
2019216637.tif 000007
【図６】
2019216637.tif 000008
【図７】
2019216637.tif 000009
【図８】
2019216637.tif 000010
【図９】
2019216637.tif 000011
【図１０】
2019216637.tif 000012